【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
連続構成で配列されたナノフィブリル多糖類を含むメンブレンであって、
前記メンブレンは、該メンブレンの少なくとも一面上にマイクロスケール凹部および／または突出部を含む少なくとも一つのパターニングされた領域を含み、
前記ナノフィブリル多糖類は、植物由来のナノフィブリルセルロースを含み、
前記パターニングされた領域は、単位の繰返しパターンを含み、一つの単位の少なくとも一つの寸法は、前記メンブレンの平面に沿って１μｍ〜５００μｍである、
前記メンブレン。
【請求項２】
当該メンブレンの少なくとも一面はマイクロスケール凹部および／または突出部を連続的相互接続単位として有するパターニングされた領域を含む、請求項１に記載のメンブレン。
【請求項３】
前記パターニングされた領域の数平均厚さは、１００ｎｍ〜１００μｍである、請求項１〜請求項２のいずれか一項に記載のメンブレン。
【請求項４】
前記パターニングされた領域は、１０ｎｍ〜１０μｍの幅を有する共通壁と相互接続された単位の繰返しパターンを含む、請求項１〜請求項３のいずれか一項に記載のメンブレン。
【請求項５】
当該メンブレンは、１μｍ〜３００μｍの厚さを有する、請求項１〜請求項４のいずれか一項に記載のメンブレン。
【請求項６】
当該メンブレンは、ナノフィブリル多糖類の乾燥重量９０〜１００％を含む、請求項１〜請求項５のいずれか一項に記載のメンブレン。
【請求項７】
前記ナノフィブリル多糖類は、ヘミセルロース、キチン、キトサン、アルジネート、ペクチン、アラビノキシラン、またはこれらの誘導体をさらに含む、請求項１〜請求項６のいずれか一項に記載のメンブレン。
【請求項８】
前記ナノフィブリル多糖類は植物由来のセルロースの誘導体を含む、請求項１〜請求項７のいずれか一項に記載のメンブレン。
【請求項９】
前記ナノフィブリル多糖類は機械的に崩壊された、請求項１〜請求項８のいずれか一項に記載のメンブレン。
【請求項１０】
前記ナノフィブリル多糖類は、１〜５００ｎｍの数平均直径を有する多糖類ナノフィブリルおよび／またはナノフィブリル束を含む、請求項１〜請求項９のいずれか一項に記載のメンブレン。
【請求項１１】
当該メンブレンの両面がパターニングされている、請求項１〜請求項１０のいずれか一項に記載のメンブレン。
【請求項１２】
請求項１〜請求項１１のいずれか一項に記載されたメンブレンを製造する方法であって、
ナノフィブリル多糖類分散剤を提供する段階を有し、かつ、
ａ．マイクロスケール凹部および／または突出部を含む少なくとも一つのパターニングされた領域を含むキャスティング支持部上に前記ナノフィブリル多糖類分散剤をキャスティングして乾燥させ、前記マイクロスケール凹部および／または突出部を含む少なくとも一つのパターニングされた領域を含む形成されたメンブレンを前記キャスティング支持部に比べて逆の構成で除去する段階であって、該キャスティング支持部が、単位の繰返しパターンを含み、一つの単位の少なくとも一つの寸法が前記メンブレンの平面に沿って１μｍ〜５００μｍである、該段階と、
ｂ．前記ナノフィブリル多糖類分散剤をメンブレンとなるように形成し、前記メンブレンの少なくとも一つの領域をエッチングしてマイクロスケール凹部および／または突出部を含む少なくとも一つのパターニングされた領域を提供する段階であって、前記パターニングされた領域が、単位の繰返しパターンを含み、一つの単位の少なくとも一つの寸法が前記メンブレンの平面に沿って１μｍ〜５００μｍである、該段階と
からなる群から選択される１つの段階を有する、
前記方法。
【請求項１３】
請求項１〜請求項１１のいずれか一項に記載されたメンブレンを製造する方法であって、
ａ．マイクロスケール凹部および／または突出部を含むパターニングされたフィルタ上に、ナノフィブリル多糖類分散剤を提供する段階であって、前記パターニングされたフィルタが、単位の繰返しパターンを含み、一つの単位の少なくとも一つの寸法が前記メンブレンの平面に沿って１μｍ〜５００μｍである、該段階、
ｂ．前記ナノフィブリル多糖類のフィブリルに対しては本質的に不透過性であるが液体に対しては透過性である前記パターニングされたフィルターを通じて変更された圧力の効果によって前記ナノフィブリル多糖類分散剤から前記液体を排出して前記パターニングされたフィルタ上にメンブレンを形成する段階、
ｃ．前記ナノフィブリル多糖類分散剤から前記液体を除去し続けながら前記メンブレンを選択的に乾燥させる段階、および
ｄ．前記パターニングされたフィルターから前記メンブレンを選択的に除去する段階を含み、
これによって、前記マイクロスケール凹部および／または突出部を有するパターニングされたフィルターに比べて逆の構成でマイクロスケール凹部および／または突出部を有する、ナノフィブリル多糖類を含むメンブレンを取得する、
前記方法。
【請求項１４】
前記ナノフィブリル多糖類分散剤は、多糖類の崩壊によって取得され、選択的に多糖類の機械的崩壊によって取得される、請求項１２または請求項１３に記載の方法。
【請求項１５】
前記ｄの段階は、前記パターニングされたフィルターを前記パターニングされたフィルターとナノフィブリル多糖類メンブレンを含むメンブレン産物の構成の部分として維持する段階を代替的に含む、請求項１３に記載の方法。
【請求項１６】
メンブレンシートは、前記ｃの段階で前記ナノフィブリル多糖類メンブレンを非接着層で選択的にコートされた加熱した表面と接触させることによって前記メンブレンに熱を印加して乾燥される、請求項１３〜請求項１５のいずれか一項に記載の方法。
【請求項１７】
前記加熱した表面は、前記メンブレンシートに圧力を提供して前記パターニングされたフィルターに対して圧力差を少なくとも部分的に引き起こすように前記メンブレンに対して加圧される、請求項１６に記載の方法。
【請求項１８】
前記加熱した表面および／または非接着層はパターニングされ、前記加熱した表面が前記メンブレンに対して加圧される時、前記加熱した表面および／または非接着層と対面するメンブレンの面に逆パターンが転写される、請求項１６または請求項１７に記載の方法。
【請求項１９】
前記ナノフィブリル多糖類メンブレンがラミネートされるパターニングされたフィルタまたは構造層などの、前記加熱した表面と前記ナノフィブリル多糖類メンブレンの間に内在した層を通じて、前記加熱した表面から前記ナノフィブリル多糖類メンブレンに熱を印加する、請求項１６〜請求項１８のいずれか一項に記載の方法。
【請求項２０】
前記ナノフィブリル多糖類分散剤は移動するパターニングされたフィルタ上に連続ウェブとして提供され、連続的パターニングされたメンブレンは互いに異なる処理段階を通じて前記移動するパターニングされたフィルタ上に前記連続ウェブを転写することによって製造され、前記パターニングされたメンブレンは前記パターニングされたフィルターから分離される、請求項１４〜請求項１９のいずれか一項に記載の方法。
【請求項２１】
ナノフィブリル多糖類は、０．５ｗｔ％濃度の水分散剤で１〜５０Ｐａの貯蔵弾性率を有する、請求項１２〜請求項２０のいずれか一項に記載の方法。
【請求項２２】
請求項１２〜請求項２１のいずれか一項に記載された方法によって取得できる、メンブレン。
【請求項２３】
療法に使うための、請求項１〜請求項１１のいずれか一項に記載のメンブレン。
【請求項２４】
傷の治療に使うための、請求項１〜請求項１１のいずれか一項に記載のメンブレン。
【請求項２５】
生体組織工学、マイクロ流体工学、またはマイクロ電子工学での、請求項１〜請求項１１のいずれか一項に記載されたメンブレンの用途。
【請求項２６】
生体組織工学、マイクロ流体工学、またはマイクロ電子工学で使用するように、請求項１〜請求項１１のいずれか一項に記載されたメンブレン、選択的に水性培地、および説明書を含む、キット。
【請求項２７】
前記メンブレンは、滅菌および無菌パッケージングされ、選択的な前記水性培地は滅菌されてメンブレンに吸収されて提供されるか別途のガラス瓶に提供され、前記説明書は傷治癒時療法的に有用な細胞とともに使うためのものである、請求項２６に記載のキット。